(57)【特許請求の範囲】
【請求項１】
導体間隔保持の基体となるフレームと、このフレームに取り付けられて導体を回動可能に把持するルーズ把持部と導体を回動不能に把持する固定把持部とを有し、
前記ルーズ把持部は、導体を固定把持する導体把持金具と、この導体把持金具を導体と共に所定の範囲で回動できるように支持する支持金具とからなり、
前記導体把持金具は、二つの導体把持片で導体を把持する二つ割り型で、二つの導体把持片が導体の片側でヒンジ結合され、反対側を締付け部材により締め付けられて導体を固定把持するようになっており、
前記導体把持金具の締付け部材が、一方の導体把持片の外面から導体把持金具の分割面と直交する方向へ突出して突起物となっているルーズスペーサの、多導体送電線又は複導体送電線への取付け構造であって、
前記ルーズ把持部の導体把持金具が導体の捻れによって締付け部材の突出方向へ回動範囲の限界まで回動しても締付け部材が前記ルーズ把持部及び各固定把持部の外接円より外側へ突出しないように、前記導体把持金具を、その分割面が、フレームの中心軸線と導体把持金具の中心軸線を通る平面に対し、前記締付け部材の突出方向と反対側へ所定の角度だけ傾いた状態となるように、導体に取り付けたことを特徴とするルーズスペーサの取付け構造。
【請求項２】
導体間隔保持の基体となるフレームと、このフレームに取り付けられて導体を回動可能に把持するルーズ把持部と導体を回動不能に把持する固定把持部とを有し、
前記ルーズ把持部は、導体を固定把持する導体把持金具と、この導体把持金具を導体と共に所定の範囲で回動できるように支持する支持金具とからなり、
前記導体把持金具は、二つの導体把持片で導体を把持する二つ割り型で、二つの導体把持片が導体の片側でヒンジ結合され、反対側を締付け部材により締め付けられて導体を固定把持するようになっており、
前記導体把持金具の締付け部材が、一方の導体把持片の外面から導体把持金具の分割面と直交する方向に突出して突起物となっているルーズスペーサにおいて、
前記導体把持金具は、その分割面が、フレームの中心軸線と導体把持金具の中心軸線を通る平面に対し、締付け部材の突出方向と反対側へ所定の角度だけ傾いた状態を回動範囲の中間位置とし、導体把持金具の回動範囲を規制するストッパーは、導体把持金具が前記中間位置から締付け部材の突出方向へ許容角度だけ回動すると、それ以上回動できなくなり、かつ締付け部材の突出方向と反対側へ許容角度だけ回動すると、それ以上回動できなくなるように形成されており、かつ前記ストッパーは、導体把持金具が導体の捻れによって締付け部材の突出方向へ回動できなくなるまで回動しても締付け部材が前記ルーズ把持部及び各固定把持部の外接円より外側へ突出しないように形成されていることを特徴とするルーズスペーサ。
【請求項３】
導体把持金具及び支持金具の外面に、導体把持金具の分割面が、フレームの中心軸線と導体把持金具の中心軸線を通る平面に対し、締付け部材の突出方向と反対側へ所定の角度だけ傾いた状態にあるときに同じ位置にくるようにマークが付されていることを特徴とする請求項２記載のルーズスペーサ。
【発明の詳細な説明】
【技術分野】
【０００１】
本発明は、多導体送電線又は複導体送電線へのルーズスペーサの取付け構造と、それに好適なルーズスペーサに関するものである。
【背景技術】
【０００２】
多導体送電線又は複導体送電線のギャロッピングを防止するには、ルーズスペーサを用いることが有効である。ルーズスペーサは、通常のスペーサと同様、複数の導体把持部を有しているが、そのうちの一部の導体把持部を、導体を回動可能に把持するルーズ把持部とし、他の導体把持部を、導体を回動不能に把持する固定把持部としたものである（特許文献１〜３参照）。
【０００３】
図４及び図５に従来のルーズスペーサの一例を示す。図において、１は多導体送電線を構成する複数本の導体、３は導体間隔保持の基体となるフレーム、５はフレーム３に取り付けられて導体１を回動可能に把持するルーズ把持部、７はフレーム１に取り付けられて導体１を回動不能に把持する固定把持部である。固定把持部７は、通常のスペーサに用いられているボルトレスクランプ（カムで圧縮されたコイルばねの反発力で締め付けるクランプ）で構成されている。
【０００４】
ルーズ把持部５は、導体１を固定把持する導体把持金具９と、この導体把持金具９を導体１と共に所定の範囲で回動できるように支持する支持金具１１とから構成されている。
【０００５】
導体把持金具９は、二つの導体把持片９ａ、９ｂで導体１を把持する二つ割り型である。二つの導体把持片９ａ、９ｂは導体１の片側でヒンジピン１３によりヒンジ結合され、反対側を締付け部材１５により締め付けられて導体１を固定把持するようになっている。締付け部材１５はカムで圧縮されたコイルばねの反発力で締め付けるボルトレスタイプである。また導体把持金具９は、導体１に沿って支持金具１１内を貫通する二つ割り型の円筒部１７ａ、１７ｂを一体に有している。円筒部１７ａは導体把持片９ａと一体に形成され、円筒部１７ｂは導体把持片９ｂと一体に形成されている。
【０００６】
支持金具１１は、導体把持金具９の円筒部１７ａ、１７ｂを回動可能に把持する二つ割り型のルーズ把持片１１ａ、１１ｂで構成されている。二つのルーズ把持片１１ａ、１１ｂは、円筒部１７ａ、１７ｂの片側でヒンジピン１９によりヒンジ結合され、反対側を締付け部材２１により締め付けられて円筒部１７ａ、１７ｂを回動可能に（ゆるく）把持するようになっている。この締付け部材２１も圧縮コイルばねの反発力で締め付けるボルトレスタイプである。一方のルーズ把持片１１ａの基部は、フレーム３に取り付けられた連結金具２３にボルトナット２５を介して連結されている。
【０００７】
なお、導体把持金具９の円筒部１７ａ、１７ｂには、支持金具１１が導体方向に移動するのを阻止するため、鍔部２７が形成されている。
【０００８】
また、図５（Ｂ）に示すように、一方の円筒部１７ａの外周面中央部には凸部２９が形成され、一方のルーズ把持片１１ａの内周面には上記凸部２９が入る溝部３１が周方向に形成されている（凸部２９、溝部３１は、他方の円筒部１７ｂ、他方のルーズ把持片１１ｂにも形成されていてもよい）。凸部２９と、溝部３１の周方向両端の壁３１ａ、３１ｂは、導体把持金具９の回動範囲を規制するストッパーを構成している。すなわち、図５（Ａ）、（Ｂ）の状態（導体把持金具９がどちら側へも同じ角度だけ回動できる中間位置にある状態）から、導体把持金具９が時計方向に回動して、凸部２９が図５（Ｃ）のように溝部３１の一端側の壁３１ａに突き当たると、それ以上回動できなくなり、また図５（Ｂ）の状態から、導体把持金具９が反時計方向に回動して、凸部２９が図５（Ｄ）のように溝部３１の他端側の壁３１ｂに突き当たると、それ以上回動できなくなるようになっている。支持金具１１に対する導体把持金具９の回動範囲は通常、±８０°程度に設定される。
【０００９】
ルーズ把持部５は、以上のような構成であるため、多導体送電線にギャロッピングが発生したときに、支持金具１１に対する導体１及び導体把持金具９の往復回動を許容し、固定把持部７との相互作用でギャロッピングを抑制する働きをする。
【００１０】
図７はルーズスペーサのルーズ把持部の他の例を示す。図７において、図４及び図５の各部に対応する部分には図４及び図５と同じ符号を付してある。すなわち、１は導体、３はフレーム、５はルーズ把持部、９は導体把持金具、９ａ、９ｂは導体把持片、１１は支持金具、１３はヒンジピン、１５は締付け部材、１７ａ、１７ｂは二つ割り円筒部材、２３は連結金具、２５は連結用ボルトナットである。
【００１１】
このルーズ把持部５は、内側に円筒部材１７ａ、１７ｂを取り付けた導体把持金具９を、軸線方向の両端側２箇所で締付け部材１５により締め付けることにより導体１を固定把持し、軸線方向の中間部で支持金具１１により回動可能に支持するものである。このルーズ把持部５の締付け部材１５はアイボルトである。
【００１２】
導体把持金具９を回動可能に支持するため、支持金具１１の先端には、円筒部材１７ａ、１７ｂの外周面の曲率に合うように形成された断面円弧形のガイド板３３が一体に形成されている。また、導体把持金具９の内周面には、前記ガイド板３３を収容する幅広の溝部３５が周方向に形成されている。さらに、導体把持金具９の軸線方向中間部には、支持金具１１の基端部とガイド板３３のつなぎ部分３７を貫通させるスロット３９が周方向に形成されている。溝部３５の周長はガイド板３３の周長より十分長く、スロット３９の周長も支持金具１１のつなぎ部分３５の幅より十分長く設定されている。
【００１３】
これにより、導体把持金具９は、ガイド板３３に案内されて、図７（Ｄ）の矢印Ｒ方向へ又は矢印Ｓ方向へ、導体１と共に回動できるようになっている。導体把持金具９の回動範囲は、溝部３５の周方向の一端側の壁３５ａがガイド板３３の片側の側面に突き当たるまでと、溝部３５の他端側の壁３５ｂがガイド板３３の反対側の側面に突き当たるまでである（あるいは、スロット３９の周方向の一端側の壁３９ａが支持金具１１のつなぎ部分３７に突き当たるまでと、スロット３９の他端側の壁３９ａが支持金具１１のつなぎ部分３７に突き当たるまでとすることもできる）。
【００１４】
ルーズ把持部５が上記のような構造であっても、図４及び図５に示したルーズスペーサと同様に、多導体送電線のギャロッピングを抑制することが可能である。
【先行技術文献】
【特許文献】
【００１５】
【特許文献１】特開平２−２５４９１６号公報
【特許文献２】特開平１０−３２２８６６号公報
【特許文献３】特開平８−９５４４号公報
【発明の概要】
【発明が解決しようとする課題】
【００１６】
従来のルーズスペーサのルーズ把持部５は、図４（Ａ）、図７（Ｂ）に示すように、導体把持金具９の分割面Ｐが、フレーム３の中心軸線と導体把持金具９の（導体把持部分の）中心軸線を通る平面Ｑと一致するように、導体１に取り付けられる。このような取付け構造にするため、導体把持金具９と支持金具１１の外面には、図４（Ｂ）に示すように、図４（Ａ）における導体把持金具９の分割面Ｐが、フレーム３の中心軸線と導体把持金具９の中心軸線を通る平面Ｑと一致するときに同じ位置にくるようにマーク４１ａ、４１ｂが付されている（図７の場合も同様）。
【００１７】
一方、導体把持金具９の締付け部材１５は、一方の導体把持片９ａの外面から導体把持金具９の分割面Ｐと直交する方向に突出して突起物となっている。
【００１８】
その結果、導体把持金具９が、締付け部材１５の突出方向へ大きく回動した場合、図６右下に示すように、締付け部材１５がスペーサ外方へ（目安としては二点鎖線で示した各把持部の外接円より外側へ）大きく突出することがある。なお、図７のようなルーズ把持部でも、導体把持金具９が、締付け部材１５の突出方向に大きく回動すると、図８の実線のようになり、図６の場合と同様な状態になることがある。
【００１９】
このような状態が、多導体送電線のギャロッピング発生時に一時的に起こるのであれば、ほとんど問題はない。しかし最近、ギャロッピングが発生していないときでも、導体に発生した捻れが元に戻らずに、締付け部材１５がスペーサ外方へ大きく突出する状態が持続する場合のあることが確認された。このような状態になると、締付け部材１５がルーズスペーサからの突起物となってコロナ放電が発生するという問題がある。
【００２０】
本発明の目的は、上記のような問題点に鑑み、ルーズ把持部がルーズ把持する導体が捻れて元に戻らない場合でも、コロナ放電が発生するおそれの少ないルーズスペーサの取付け構造と、それに好適なルーズスペーサを提供することにある。
【課題を解決するための手段】
【００２１】
本発明に係るルーズスペーサの取付け構造は、
導体間隔保持の基体となるフレームと、このフレームに取り付けられて導体を回動可能に把持するルーズ把持部と導体を回動不能に把持する固定把持部とを有し、
前記ルーズ把持部は、導体を固定把持する導体把持金具と、この導体把持金具を導体と共に所定の範囲で回動できるように支持する支持金具とからなり、
前記導体把持金具は、二つの導体把持片で導体を把持する二つ割り型で、二つの導体把持片が導体の片側でヒンジ結合され、反対側を締付け部材により締め付けられて導体を固定把持するようになっており、
前記導体把持金具の締付け部材が、一方の導体把持片の外面から導体把持金具の分割面と直交する方向へ突出して突起物となっているルーズスペーサの、多導体送電線又は複導体送電線への取付け構造であって、
前記ルーズ把持部の導体把持金具が導体の捻れによって締付け部材の突出方向へ回動範囲の限界まで回動しても締付け部材が前記ルーズ把持部及び各固定把持部の外接円より外側へ突出しないように、前記導体把持金具を、その分割面が、フレームの中心軸線と導体把持金具の中心軸線を通る平面に対し、前記締付け部材の突出方向と反対側へ所定の角度だけ傾いた状態となるように、導体に取り付けたことを特徴とするものである。
【００２２】
また本発明に係るルーズスペーサは、
導体間隔保持の基体となるフレームと、このフレームに取り付けられて導体を回動可能に把持するルーズ把持部と導体を回動不能に把持する固定把持部とを有し、
前記ルーズ把持部は、導体を固定把持する導体把持金具と、この導体把持金具を導体と共に所定の範囲で回動できるように支持する支持金具とからなり、
前記導体把持金具は、二つの導体把持片で導体を把持する二つ割り型で、二つの導体把持片が導体の片側でヒンジ結合され、反対側を締付け部材により締め付けられて導体を固定把持するようになっており、
前記導体把持金具の締付け部材が、一方の導体把持片の外面から導体把持金具の分割面と直交する方向に突出して突起物となっているルーズスペーサにおいて、
前記導体把持金具は、その分割面が、フレームの中心軸線と導体把持金具の中心軸線を通る平面に対し、締付け部材の突出方向と反対側へ所定の角度だけ傾いた状態を回動範囲の中間位置とし、導体把持金具の回動範囲を規制するストッパーは、導体把持金具が前記中間位置から締付け部材の突出方向へ許容角度だけ回動すると、それ以上回動できなくなり、かつ締付け部材の突出方向と反対側へ許容角度だけ回動すると、それ以上回動できなくなるように形成されており、かつ前記ストッパーは、導体把持金具が導体の捻れによって締付け部材の突出方向へ回動できなくなるまで回動しても締付け部材が前記ルーズ把持部及び各固定把持部の外接円より外側へ突出しないように形成されていることを特徴とするものである。
【００２３】
また本発明に係る上記ルーズスペーサは、導体把持金具及び支持金具の外面に、導体把持金具の分割面が、フレームの中心軸線と導体把持金具の中心軸線を通る平面に対し、締付け部材の突出方向と反対側へ所定の角度だけ傾いた状態にあるときに同じ位置にくるようにマークが付されていることが好ましい。
【発明の効果】
【００２４】
本発明に係るルーズスペーサの取付け構造は、ルーズスペーサを多導体送電線又は複導体送電線に取り付けるときに、ルーズ把持部の導体把持金具を、その分割面が、フレームの中心軸線と導体把持金具の中心軸線を通る平面に対し、前記締付け部材の突出方向と反対側へ所定の角度だけ傾いた状態となるように、導体に取り付けたので、導体の捻れにより導体把持金具が締付け部材の突出方向へ限界まで回動しても、締付け部材がスペーサ外方へ大きく突出するのを回避することができる。したがって、導体が捻れたままの状態が持続しても、コロナ放電の発生を抑制することができる。
【００２５】
また本発明に係るルーズスペーサは、導体把持金具の分割面が、フレームの中心軸線と導体把持金具の中心軸線を通る平面に対し、前記締付け部材の突出方向と反対側へ傾いた状態が導体把持金具の回動範囲の中間位置となるため、導体が捻れたままの状態が持続しても、上記と同じ理由によりコロナ放電の発生を抑制できると共に、導体把持金具は上記中間位置からどちら側へもほぼ同じ角度だけ回動できるようになるので、ギャロッピング発生時の導体の往復回動に追従でき、ギャロッピング抑制効果を十分に発揮することができる。
【００２６】
また本発明に係るルーズスペーサは、導体把持金具と支持金具の外面に付されたマークを一致させることにより、導体把持金具を、その分割面が、フレームの中心軸線と導体把持金具の中心軸線を通る平面に対し締付け部材の突出方向と反対側へ所定の角度だけ傾いた状態となるように、導体に容易に取り付けることができるため、ルーズスペーサの取付け作業を効率よく行うことができる。
【図面の簡単な説明】
【００２７】
【図１】本発明に係るルーズスペーサの取付け構造の一実施例を示す、（Ａ）は正面図、（Ｂ）は（Ａ）のＢ−Ｂ線矢視図。
【図２】図１のルーズスペーサのルーズ把持部を示す、（Ａ）は図１（Ａ）のＢ−Ｂ線矢視拡大図、（Ｂ）は（Ａ）のＢ−Ｂ線断面図、（Ｃ）は（Ｂ）の状態から導体把持金具が片側へ限界まで回動した状態を示す断面図、（Ｄ）は同じく反対側へ限界まで回動した状態を示す断面図。
【図３】本発明に係るルーズスペーサのルーズ把持部の一実施例を示す正面図。
【図４】従来のルーズスペーサの取付け構造の一例を示す、（Ａ）は正面図、（Ｂ）は（Ａ）のＢ−Ｂ線矢視図。
【図５】図４のルーズスペーサのルーズ把持部を示す、（Ａ）は図４（Ａ）のＢ−Ｂ線矢視拡大図、（Ｂ）は（Ａ）のＢ−Ｂ線断面図、（Ｃ）は（Ｂ）の状態から導体把持金具が片側へ限界まで回動した状態を示す断面図、（Ｄ）は同じく反対側へ限界まで回動した状態を示す断面図。
【図６】図４のルーズスペーサの取付け構造の問題点を示す正面図。
【図７】従来のルーズスペーサのルーズ把持部の他の例を示す、（Ａ）は平面図、（Ｂ）は正面図、（Ｃ）は（Ｂ）のＣ−Ｃ線断面図、（Ｄ）は（Ａ）のＤ−Ｄ線断面図。
【図８】図７のルーズスペーサの取付け構造の問題点を示す正面図。
【発明を実施するための形態】
【実施例】
【００２８】
図１及び図２は、本発明の一実施例を示す。図１及び図２において、先に説明した図４及び図５と同一部分には同一符号を付してあるので、重複する説明は省略する。
【００２９】
このルーズスペーサの取付け構造の特徴は、ルーズ把持部５の導体把持金具９を、その分割面Ｐが、フレーム３の中心軸線と導体把持金具９の中心軸線（導体把持部分の中心軸線）を通る平面Ｑに対し、締付け部材１５の突出方向と反対側へ所定の角度θだけ傾いた状態となるように、導体１に取り付けたことである。
【００３０】
角度θは、導体把持金具９の回動範囲や、導体把持片９ａの外面からの締付け部材１５の突出高さ等によって決められる。図示の例では、分割面Ｐが角度θだけ傾いた状態が導体把持金具９の回動範囲の中間位置であり、導体把持金具９がこの中間位置から例えば±８０°の範囲で回動可能であるとすると、θは２５°程度に設定するとよい。そうすると、導体把持金具９が締付け部材１５の突出方向へ８０°回動した場合でも、図１（Ａ）右下にＴで示すように、締付け部材１５がスペーサ外方へ（目安として二点鎖線で示した各把持部の外接円より外側へ）突出することがなくなる。このため、導体１の捻れにより、この状態が持続したとしても、コロナが発生するおそれは少ない。また、導体把持金具９が締付け部材１５の突出方向と反対側へ８０°回動した場合でも、図１（Ａ）右下にＵで示すように、導体把持金具９の導体把持片９ｂの外面がスペーサ外方へ突出することがない。もっとも導体把持金具９の導体把持片９ｂの外面は突起物のない滑らかな曲面なので、スペーサ外方へ多少突出してもコロナ放電の問題はない。このことからθは３０°位に設定することも可能である。
【００３１】
導体把持金具９の回動範囲を規制するストッパーは、一方の円筒部１７ａの外周面に形成された凸部２９と、ルーズ把持片１１ａ、１１ｂの内周面に周方向に形成された上記凸部２９が入る溝部３１とで構成されている。凸部２９と溝部３１は、導体把持金具９の分割面Ｐが、フレーム３の中心軸線と導体把持金具９の中心軸線を通る平面Ｑに対し、締付け部材１５の突出方向と反対側へ所定の角度θだけ傾いた状態（図１（Ａ）、図２（Ａ）、（Ｂ）の状態）にある導体把持金具９が、締付け部材１５の突出方向へ許容角度（例えば８０°）だけ回動すると、凸部２９が図２（Ｃ）のように溝部３１の一端側の壁３１ａに突き当たってそれ以上回動できなくなり、締付け部材１５の突出方向と反対側へ許容角度（例えば８０°）だけ回動すると、凸部２９が図２（Ｄ）のように溝部３１の他端側の壁３１ｂに突き当たってそれ以上回動できなくなるように形成されている。このようにすると導体把持金具が中間位置からどちら側へもほぼ同じ角度だけ回動できるので、ギャロッピング発生時の導体の往復回動に追従でき、ギャロッピング抑制効果を十分に発揮することができる。
【００３２】
また、導体把持金具９及び支持金具１１の外面には、導体把持金具９の分割面Ｐが、フレーム３の中心軸線と導体把持金具９の中心軸線を通る平面Ｑに対し、締付け部材１５の突出方向と反対側へ所定の角度だけ傾いた状態にあるときに同じ位置にくるようにマーク４１ａ、４１ｂが付されている。このようなマーク４１ａ、４１ｂを付しておくことにより、作業者は導体把持金具を適正な傾き角度で導体に容易に締付け固定することができる。
【００３３】
図３は本発明の他の実施例を示す。この実施例は、先に説明した図７のようなルーズ把持部を有するルーズスペーサに本発明を適用したものである。図３において、図７と同一部分には同一符号を付してあるので、重複する説明は省略する。
【００３４】
このルーズスペーサの取付け構造も、ルーズ把持部５の導体把持金具９を、その分割面Ｐが、フレーム３の中心軸線と導体把持金具９の中心軸線を通る平面Ｑに対し、締付け部材１５の突出方向と反対側へ所定の角度θだけ傾いた状態となるように、導体１に取り付けたものである。
【００３５】
このようにすると、導体把持金具９が回動範囲の中間位置（実線の位置）から締付け部材１５の突出方向へ例えば８０°回動した場合でも、締付け部材１５の位置は二点鎖線Ｔのようになり、図８の従来例よりも締付け部材１５のスペーサ外方への突出高さを小さくでき、その分、コロナ放電を少なく抑えることができる。また、導体把持金具９が回動範囲の中間位置から締付け部材１５の突出方向と反対側へ例えば８０°回動した場合には、導体把持片９ｂの位置は二点鎖線Ｕのようになり、導体把持片９ｂがスペーサ外方へ突起物となって突出するおそれがないので、コロナ放電の問題は生じない。
【符号の説明】
【００３６】
１：導体
３：フレーム
５：ルーズ把持部
７：固定把持部
９：導体把持金具
９ａ、９ｂ：導体把持片
１１：支持金具
１１ａ、１１ｂ：ルーズ把持片
１３：ヒンジピン
１５：締付け部材
１７ａ、１７ｂ：円筒部
１９：ヒンジピン
２１：締付け部材
２３：連結金具
２５：ボルトナット
２７：鍔部
２９：凸部
３１：溝部
３１ａ、３１ｂ：溝部３１の両端の壁
３３：ガイド板
３５：溝部
３５ａ、３５ｂ：溝部３５の両端の壁
３７：つなぎ部
３９：スロット
３９ａ、３９ｂ：スロット３９の両端の壁
４１ａ、４１ｂ：マーク
【図１】
0005561529.tif 000002
【図２】
0005561529.tif 000003
【図３】
0005561529.tif 000004
【図４】
0005561529.tif 000005
【図５】
0005561529.tif 000006
【図６】
0005561529.tif 000007
【図７】
0005561529.tif 000008
【図８】
0005561529.tif 000009